(57)【特許請求の範囲】
【請求項１】
燃料油の赤外吸収スペクトルにおける、エチル−ｔｅｒｔ−ブチルエーテルに帰属される吸収帯のうち、１１８０〜１２２５ｃｍ−１の領域に最大の吸光度を与える点がある吸収帯のピーク強度に基づき、前記燃料油中のエチル−ｔｅｒｔ−ブチルエーテルの含有割合を求める工程を有する、燃料油の分析方法。
【請求項２】
前記赤外吸収スペクトルが示されたチャートの横軸Ｘを吸収波長、縦軸Ｙを吸光度とし、前記吸収帯における吸光度の最大値を与える点をＡ１（Ｘ１，Ｙ１）とし、前記吸収帯の両端の谷の極小点をそれぞれＡ２（Ｘ２，Ｙ２）及びＡ３（Ｘ３，Ｙ３）とするとき、前記ピーク強度は、前記Ａ２と前記Ａ３とを結ぶ基準線Ｙ＝［（Ｙ３−Ｙ２）／（Ｘ３−Ｘ２）］Ｘ＋［（Ｘ３Ｙ２−Ｘ２Ｙ３）／（Ｘ３−Ｘ２）］と直線Ｘ＝Ｘ１との交点から前記Ａ１までの距離｛Ｙ１−［（Ｘ１−Ｘ２）Ｙ３−（Ｘ１−Ｘ３）Ｙ２］／（Ｘ３−Ｘ２）｝である、請求項１に記載の燃料油の分析方法。
【請求項３】
前記工程は、予め得られている前記ピーク強度とエチル−ｔｅｒｔ−ブチルエーテルの含有割合との相関に基づいて、前記燃料油中のエチル−ｔｅｒｔ−ブチルエーテルの含有割合を求める工程である、請求項１又は２に記載の燃料油の分析方法。
【発明の詳細な説明】
【技術分野】
【０００１】
本発明は、燃料油の分析方法に関する。
【背景技術】
【０００２】
日本国内では、ガソリン等の石油製品におけるエチル−ｔｅｒｔ−ブチルエーテル（ＥＴＢＥ）の含有割合について、揮発油等の品質の確保等に関する法律（品確法）に基づく強制規格が定められており、当該規格を満たさない石油製品を販売することは認められていない。
【０００３】
従来、石油製品中のエチル−ｔｅｒｔ−ブチルエーテルの定量分析法としては、ガスクロマトグラフによる測定法が知られている（例えば、非特許文献１及び非特許文献２）。
【先行技術文献】
【非特許文献】
【０００４】
【非特許文献１】ＪＩＳハンドブック  ２５  石油  ２００７，１４２８〜１４６３頁（ＪＩＳ  Ｋ２５３６−２）
【非特許文献２】ＪＩＳハンドブック  ２５  石油  ２００７，１４９１〜１４９６頁（ＪＩＳ  Ｋ２５３６−６）
【発明の概要】
【発明が解決しようとする課題】
【０００５】
しかしながら、非特許文献１及び非特許文献２に記載の測定法は、操作が煩雑であり、分析に長時間を要する。そのため、多くの燃料油サンプルにおけるエチル−ｔｅｒｔ−ブチルエーテルの含有割合を、短時間で測定することが可能な分析方法が求められている。
【０００６】
そこで、本発明は、燃料油中のエチル−ｔｅｒｔ−ブチルエーテルの含有割合を迅速、かつ簡便に測定することが可能な燃料油の分析方法を提供することを目的とする。
【課題を解決するための手段】
【０００７】
すなわち本発明は、燃料油の赤外吸収スペクトルにおける、エチル−ｔｅｒｔ−ブチルエーテルに帰属される吸収帯のピーク強度に基づき、上記燃料油中のエチル−ｔｅｒｔ−ブチルエーテルの含有割合を求める工程を有する、燃料油の分析方法を提供する。
【０００８】
本発明に係る燃料油の分析方法によれば、赤外吸収スペクトルにおけるピーク強度を用いていることから、迅速かつ簡便に燃料油中のエチル−ｔｅｒｔ−ブチルエーテルの含有割合を測定することができる。
【０００９】
本発明において、上記赤外吸収スペクトルが示されたチャートの横軸Ｘを吸収波長、縦軸Ｙを吸光度とし、上記吸収帯における吸光度の最大値を与える点をＡ１（Ｘ１，Ｙ１）とし、上記吸収帯の両端の谷の極小点をそれぞれＡ２（Ｘ２，Ｙ２）及びＡ３（Ｘ３，Ｙ３）とするとき、上記ピーク強度は、上記Ａ２と上記Ａ３とを結ぶ基準線Ｙ＝［（Ｙ３−Ｙ２）／（Ｘ３−Ｘ２）］Ｘ−［（Ｘ３Ｙ２−Ｘ２Ｙ３）／（Ｘ３−Ｘ２）］と直線Ｘ＝Ｘ１との交点から上記Ａ１までの距離｛Ｙ１−［（Ｘ１−Ｘ２）Ｙ３−（Ｘ１−Ｘ３）Ｙ２］／（Ｘ３−Ｘ２）｝であることが好ましい。
【００１０】
このようなピーク強度に基づき燃料油を分析することにより、より高精度に、再現性良く燃料油中のエチル−ｔｅｒｔ−ブチルエーテルの含有割合を測定することができる。
【００１１】
また、本発明において、上記吸収帯は、上記吸収帯における吸光度の最大値を与える点が１１８０〜１２２５ｃｍ−１の領域にある吸収帯であることが好ましい。
【００１２】
このような吸収帯のピーク強度に基づき燃料油を分析することにより、燃料油中のエチル−ｔｅｒｔ−ブチルエーテルの含有割合が極めて少ない場合であっても、高精度にその含有割合を測定することができる。
【００１３】
さらに、本発明において、上記工程は、予め得られている上記ピーク強度とエチル−ｔｅｒｔ−ブチルエーテルの含有割合との相関に基づいて、上記燃料油中のエチル−ｔｅｒｔ−ブチルエーテルの含有割合を求める工程であることが好ましい。
【００１４】
このような分析方法においては、予め得られている相関に基づいて分析を行うことにより、複数の燃料油を、迅速かつ簡便に分析することができる。
【発明の効果】
【００１５】
本発明によれば、燃料油中のエチル−ｔｅｒｔ−ブチルエーテルの含有割合を迅速、かつ簡便に測定することが可能な燃料油の分析方法が提供される。
【図面の簡単な説明】
【００１６】
【図１】燃料油の赤外吸収スペクトルが示されたチャートを示す模式図である。
【図２】実施例の測定サンプルにおいて測定された赤外吸収スペクトルを示す図である。
【図３】実施例１で作成された検量線を示す図である。
【図４】実施例２で作成された検量線を示す図である。
【図５】実施例３で作成された検量線を示す図である。
【発明を実施するための形態】
【００１７】
本発明に係る燃料油の分析方法の好適な実施形態について以下に説明する。
【００１８】
本実施形態に係る燃料油の分析方法は、燃料油の赤外吸収スペクトルにおける、エチル−ｔｅｒｔ−ブチルエーテルに帰属される吸収帯のピーク強度に基づき、燃料油中のエチル−ｔｅｒｔ−ブチルエーテルの含有割合を求める工程を有する。
【００１９】
本実施形態に係る分析方法により分析される燃料油としては、原油又はその混合物に対して、蒸留、分解、改質、その他の精製処理等を適宜行うことによって得られる留分又は残渣が挙げられる。より具体的には、自動車エンジン用ガソリン、農業用内燃機関用ガソリン、林業用内燃機関用ガソリン等に代表されるガソリン留分；燃料用ナフサ等に代表されるナフサ留分（軽質ナフサ、重質ナフサ、ホールレンジナフサ等）；ジェット燃料、航空ガソリン等に代表されるジェット燃料留分；冷暖房用灯油、厨房用灯油、石油発動機用灯油、工業燃料用灯油等に代表される灯油留分；自動車ディーゼルエンジン用軽油、加熱燃料用軽油等に代表される軽油留分；ボイラー用重油、ビル暖房用重油、船舶ディーゼルエンジン用重油、窯業用重油等に代表される重油留分（Ａ重油、Ｂ重油、Ｃ重油等）；及びこれらの混合物等が挙げられる。
【００２０】
本実施形態に係る燃料油の分析方法は、上述した各種の燃料油及びそれらの混合物の何れも分析可能であるが、特に、ガソリンを含有する燃料油を分析することに優れる。ここでガソリンとしては、ＪＩＳＫ２２０２「自動車ガソリン」で規定される１号ガソリンや２号ガソリン、バイオガソリン等が挙げられる。
【００２１】
燃料油の赤外吸収スペクトルは、フーリエ変換赤外分光法により得られた赤外吸収スペクトルであることが好ましい。このような赤外吸収スペクトルは、公知のフーリエ変換赤外分光光度計（フーリエ変換赤外分光分析装置、ＦＴ−ＩＲ装置ともいう。）を用いて得ることができ、フーリエ変換赤外分光光度計としては、例えば、Ｍａｔｔｓｏｎ  ＡＴＩ  Ｇｅｎｅｓｉｓ  ＩＩ  ＦＴＩＲ（Ｍａｔｔｓｏｎ社製）等を用いることができる。
【００２２】
燃料油の赤外吸収スペクトルは、フーリエ変換赤外分光光度計等により、迅速かつ簡便に得ることができる。そのため、本実施形態に係る燃料油の分析方法によれば、迅速かつ簡便に燃料油中のエチル−ｔｅｒｔ−ブチルエーテルの含有割合を求めることができる。
【００２３】
本実施形態に係る燃料油の分析方法は、赤外吸収スペクトルを測定できる環境下であれば簡便に実施することができるため、精密機器の導入が困難な製造現場等における一次スクリーニング手段や品質管理手段として好適である。
【００２４】
また、本実施形態に係る燃料油の分析方法は、エチル−ｔｅｒｔ−ブチルエーテルの含有割合が少ない燃料油を、精度良く分析することに優れる。したがって、分析対象となる燃料油は、エチル−ｔｅｒｔ−ブチルエーテルの含有割合が１５容量％以下であることが好ましく、１２容量％以下であることがより好ましく、１０容量％以下であることがさらに好ましい。
【００２５】
エチル−ｔｅｒｔ−ブチルエーテルに帰属される吸収帯としては、１１８０〜１２２５ｃｍ−１の領域において最大の吸光度を与える吸収帯（以下、「第１吸収帯」と称する。）、１１４０〜１１００ｃｍ−１の領域において最大の吸光度を与える吸収帯（以下、「第２吸収帯」と称する。）、１１００〜１０５５ｃｍ−１の領域において最大の吸光度を与える吸収帯（以下、「第３吸収帯」）が挙げられる。
【００２６】
これらの吸収帯のうち、いずれの吸収帯のピーク強度に基づいて分析を行ってもよいが、燃料油中のエチル−ｔｅｒｔ−ブチルエーテルの含有割合を高精度に測定できることから、第１吸収帯のピーク強度に基づいて分析を行うことがより好ましい。第２吸収帯又は第３吸収帯のピーク強度に基づいて分析を行うと、燃料油中の芳香族炭化水素の含有割合が多い場合において、芳香族炭化水素由来の吸収スペクトルの影響を受け、精度よく燃料油中のエチル−ｔｅｒｔ−ブチルエーテルの含有割合を測定できない場合がある。
【００２７】
本実施形態に係る燃料油の製造方法では、例えば、予め得られているピーク強度とエチル−ｔｅｒｔ−ブチルエーテルの含有割合との相関に基づいて、上記燃料油中のエチル−ｔｅｒｔ−ブチルエーテルの含有割合を求めることができる。
【００２８】
上記相関の具体例としては、検量線が挙げられる。検量線は、例えば、エチル−ｔｅｒｔ−ブチルエーテルの含有割合が異なる複数のサンプルについて、それぞれの赤外吸収スペクトルにおけるエチル−ｔｅｒｔ−ブチルエーテルに帰属される吸収帯のピーク強度を測定して、エチル−ｔｅｒｔ−ブチルエーテルの含有割合に対するピーク強度をプロットすることにより作成することができる。
【００２９】
このように作成された検量線によれば、分析対象である燃料油について求められたピーク強度を、当該検量線に当てはめることにより、迅速かつ簡便にエチル−ｔｅｒｔ−ブチルエーテルの含有割合を求めることができる。また、複数の燃料油について、同一の検量線を用いて、迅速かつ簡便に分析を行うことができる。
【００３０】
「吸収帯のピーク強度」としては、当該吸収帯における吸光度に関連して赤外吸収スペクトルから算出され得る値を適宜選択することができ、例えば、下記式（１）で表される値とすることができる。
Ｉ＝ａ１−ａ２    （１）
［式中、Ｉは吸収帯のピーク強度を示し、ａ１は吸収帯における最大の吸光度を示し、ａ２は吸収帯における最大の吸光度を与えるピーク位置において、吸収帯の両側の谷の極小点である２点を結んでなる基準線が与える吸光度を示す。］
【００３１】
このようなピーク強度に基づき燃料油を分析することにより、より高精度に、再現性良く燃料油中のエチル−ｔｅｒｔ−ブチルエーテルの含有割合を測定することができる。
【００３２】
図１は、燃料油の赤外線スペクトルが示されたチャートを示す図である。図１に示される赤外吸収スペクトル１において、第１吸収帯１０、第２吸収帯２０及び第３吸収帯３０が、エチル−ｔｅｒｔ−ブチルエーテルに帰属される吸収帯である。
【００３３】
ここで、第１吸収帯１０を例にとり説明すると、第１吸収帯１０は、ピークトップ１１で最大の吸光度ａ１を示す。また、第１吸収帯１０の両側には、谷１３及び谷１５があり、谷１３は、極小点１４を有し、谷１５は、極小点１６を有する。また、極小点１４及び極小点１６を結んでなる基準線１７は、第１吸収帯１０のピークトップ１１のピーク位置と同位置ある点１２において、吸光度ａ２を与える。そして、第１吸収帯１０のピーク強度Ｉは、吸光度ａ１から吸光度ａ２を減じた値として算出される。
【００３４】
このようにして算出されたピーク強度は、例えば、上述のように予め得られている相関に基づき解析され、エチル−ｔｅｒｔ−ブチルエーテルの含有割合が求められる。
【００３５】
また、上記のピーク強度は、以下のように説明することもできる。
【００３６】
すなわち、燃料油の赤外吸収スペクトルが示されたチャートの横軸Ｘを吸収波長、縦軸Ｙを吸光度とし、吸収帯における吸光度の最大値を与える点をＡ１（Ｘ１，Ｙ１）とし、吸収帯の両端の谷の極小点をそれぞれＡ２（Ｘ２，Ｙ２）及びＡ３（Ｘ３，Ｙ３）とするとき、ピーク強度は、Ａ２とＡ３とを結ぶ基準線Ｙ＝［（Ｙ３−Ｙ２）／（Ｘ３−Ｘ２）］Ｘ＋［（Ｘ３Ｙ２−Ｘ２Ｙ３）／（Ｘ３−Ｘ２）］と直線Ｘ＝Ｘ１との交点からＡ１までの距離｛Ｙ１−［（Ｘ１−Ｘ２）Ｙ３−（Ｘ１−Ｘ３）Ｙ２］／（Ｘ３−Ｘ２）｝である。
【００３７】
ここで、図１を参照して、第１吸収帯１０を例にとり説明すると、第１吸収帯１０における吸光度の最大値を与える点１１が、点Ａ１である。また、第１吸収帯１０の両側にある谷１３及び１５の極小点１４及び１６が、それぞれ点Ａ２及びＡ３である。そして、点Ａ２と点Ａ３とを結ぶ基準線１７と直線Ｘ＝Ｘ１との交点が、点１２である。吸光度Ｉは、点１２から点１１までの距離として表すことができる。
【００３８】
以上、本発明の好適な実施形態について説明したが、本発明は上記実施形態に限定されるものではない。本発明の特徴の一つは、燃料油において、赤外吸収スペクトルのピーク強度に基づいて分析するとエチル−ｔｅｒｔ−ブチルエーテルの含有割合を迅速に求めることができることを見出した点にある。したがって、例えば、上記実施形態では、燃料油の分析方法として説明したが、本発明は燃料油に含まれるエチル−ｔｅｒｔ−ブチルエーテルの定量方法であってもよい。
【００３９】
また、本実施形態に係る分析方法は、エチル−ｔｅｒｔ−ブチルエーテルを含む燃料油のみならず、エチル−ｔｅｒｔ−ブチルエーテルを含有しない燃料油に対しても適用可能であることはいうまでもない。この場合、本実施形態に係る分析方法を行うことによって、燃料油がエチル−ｔｅｒｔ−ブチルエーテルを含有しないことを確認することができる。
【実施例】
【００４０】
以下、実施例により本発明をより具体的に説明するが、本発明は実施例に限定されるものではない。
【００４１】
（実施例１）
［１−１：検量線の作成］
エチル−ｔｅｒｔ−ブチルエーテルを含有しない燃料油（燃料油としては、市販のレギュラーガソリンを用いた。）とエチル−ｔｅｒｔ−ブチルエーテルとを用いて、エチル−ｔｅｒｔ−ブチルエーテルの含有割合がそれぞれ０容量％、１．９容量％、４．８容量％、９．６容量％である４つの測定サンプルを調製した。
【００４２】
各測定サンプルについて、ＦＴ−ＩＲ装置として、「Ｍａｔｔｓｏｎ  ＡＴＩ  Ｇｅｎｅｓｉｓ  ＩＩ  ＦＴＩＲ」（Ｍａｔｔｓｏｎ社製）を使用し、下記の測定条件でＩＲ測定を行うとともに、ピーク強度Ｉ１を求めた。なお、各測定サンプルにおいて測定された赤外吸収スペクトルは図２に示すとおりであった。
【００４３】
（測定条件）
積算回数  ：  ３２回
分解能    ：  ４ｃｍ−１
セル      ：  光路長０．１ｍｍ  ＫＢｒ固定セル
（測定手順）
１．装置内部を窒素ガスで置換し、バックグラウンドを測定した（セル不使用）。
２．試料用の固定セルに、測定サンプルを注入し、測定を行った。
３．横軸に波数、縦軸に吸光度をとり、波数１５００ｃｍ−１〜９００ｃｍ−１の領域が含まれるように、赤外吸収スペクトルを表示した。
４．赤外吸収スペクトル上のエチル−ｔｅｒｔ−ブチルエーテルに帰属される吸収帯のうち、１１８０〜１２２５ｃｍ−１の領域において最大の吸光度ａ１を与える吸収帯（第１吸収帯）について、当該吸収帯の両側の谷の極小点である２点を結び、基準線を作成した。
５．第１吸収帯の最大の吸光度を与える点から降ろした垂線と基準線との交点における吸光度ａ２を求めた。
６．下記式（１）により、第１吸収帯におけるピーク強度Ｉ１を算出した。なお、ピーク強度Ｉは、ＪＩＳ  Ｚ  ８４０１の規定によって小数点以下第３位までの数値とした。
Ｉ１＝ａｌ−ａ２    （１）
【００４４】
各測定サンプルについて得られたピーク強度Ｉ１と、各測定サンプルにおけるエチル−ｔｅｒｔ−ブチルエーテルの含有割合とから、検量線を作成した。作成した検量線を図３に示す。
【００４５】
［１−２：燃料油の測定］
燃料油サンプル１〜５について、上記測定条件にて上記測定手順と同様にして、ピーク強度Ｉ１を算出し、得られたピーク強度Ｉ１と検量線からエチル−ｔｅｒｔ−ブチルエーテルの含有割合を求めた。得られたピーク強度Ｉ１と含有割合は、下記表１に示すとおりであった。
【００４６】
なお、燃料油サンプルは市販のハイオクガソリン又はレギュラーガソリンにエチル−ｔｅｒｔ−ブチルエーテル（純度：９５．５４％、密度：０．７４ｇ／ｃｍ３）を添加して調整した。燃料油サンプル１は、石油会社Ａの市販ハイオクガソリン（１．１５１６ｇ）にエチル−ｔｅｒｔ−ブチルエーテル（０．１２３３ｇ）を添加して調整したサンプル（エチル−ｔｅｒｔ−ブチルエーテル濃度：９．３４容量％）であり、燃料油サンプル２は、石油会社Ｂの市販ハイオクガソリン（０．８７５６ｇ）にエチル−ｔｅｒｔ−ブチルエーテル（０．０７０６ｇ）を添加して調整したサンプル（エチル−ｔｅｒｔ−ブチルエーテル濃度：７．２８容量％）であり、燃料油サンプル３は、石油会社Ｃの市販レギュラーガソリン（１．０７０７ｇ）にエチル−ｔｅｒｔ−ブチルエーテル（０．０５２８ｇ）を添加して調整したサンプル（エチル−ｔｅｒｔ−ブチルエーテル濃度：４．４４容量％）であり、燃料油サンプル４は、石油会社Ｂの市販レギュラーガソリン（１．０８９８ｇ）にエチル−ｔｅｒｔ−ブチルエーテル（０．０１８２ｇ）を添加して調整したサンプル（エチル−ｔｅｒｔ−ブチルエーテル濃度：１．５６容量％）であり、燃料油サンプル５は、石油会社Ｄの市販ハイオクガソリン（１．２１９９ｇ）にエチル−ｔｅｒｔ−ブチルエーテル（０．００８８ｇ）を添加して調整したサンプル（エチル−ｔｅｒｔ−ブチルエーテル濃度：０．７１容量％）である。
【００４７】
（実施例２）
［２−１：検量線の作成］
実施例１の測定手順１〜３と同様にして、実施例１と同様の測定サンプルについて各々赤外吸収スペクトルを測定した。
【００４８】
次いで、赤外吸収スペクトル上のエチル−ｔｅｒｔ−ブチルエーテルに帰属される吸収帯のうち、１１４０〜１１００ｃｍ−１の領域において最大の吸光度を与える吸収帯（第２吸収帯）について、実施例１の測定手順４〜６と同様にしてそのピーク強度Ｉ２を求めた。
【００４９】
各測定サンプルについて得られたピーク強度Ｉ２と、各測定サンプルにおけるエチル−ｔｅｒｔ−ブチルエーテルの含有割合とから、検量線を作成した。作成した検量線を図４に示す。
【００５０】
［２−２：燃料油の測定］
実施例１と同様の燃料油サンプル１〜５について、上記と同様にして、ピーク強度Ｉ２を算出し、得られたピーク強度Ｉ２と検量線からエチル−ｔｅｒｔ−ブチルエーテルの含有割合を求めた。得られたピーク強度Ｉ２と含有割合は、下記表１に示すとおりであった。
【００５１】
（実施例３）
［３−１：検量線の作成］
実施例１の測定手順１〜３と同様にして、実施例１と同様の測定サンプルについて各々赤外吸収スペクトルを測定した。
【００５２】
次いで、赤外吸収スペクトル上のエチル−ｔｅｒｔ−ブチルエーテルに帰属される吸収帯のうち、１１００〜１０５５ｃｍ−１の領域において最大の吸光度を与える吸収帯（第３吸収帯）について、実施例１の測定手順４〜６と同様にしてそのピーク強度Ｉ３を求めた。
【００５３】
各測定サンプルについて得られたピーク強度Ｉ３と、各測定サンプルにおけるエチル−ｔｅｒｔ−ブチルエーテルの含有割合とから、検量線を作成した。作成した検量線を図５に示す。
【００５４】
［３−２：燃料油の測定］
実施例１と同様の燃料油サンプル１〜５について、上記と同様にして、ピーク強度Ｉ３を算出し、得られたピーク強度Ｉ３と検量線からエチル−ｔｅｒｔ−ブチルエーテルの含有割合を求めた。得られたピーク強度Ｉ３と含有割合は、下記表１に示すとおりであった。
【００５５】
（参考例１）
【００５６】
実施例１と同様の燃料油サンプル１〜５について、ＪＩＳ  Ｋ２５３６−２に基づいてエチル−ｔｅｒｔ−ブチルエーテルの含有割合を求めたところ、得られた含有割合は、下記表１に示すとおりであった。
【００５７】
【表１】
0005461322.tif 000002
【００５８】
表１中、ＥＴＢＥ含有割合とは、エチル−ｔｅｒｔ−ブチルエーテルの含有割合（容量％）を示す。
【００５９】
実施例１〜３と参考例１とを比較すると、実施例１〜３の方法で得られた含有割合の値は、操作が煩雑であり分析に長時間を要する参考例１の方法で得られた含有割合の値と良い一致を示した。以上のことから、本実施形態に係る燃料油の分析方法によって、従来の操作が煩雑であり分析に長時間を要する分析方法で得られる結果と、良い一致を示す分析結果を、迅速に得ることができることが確認された。
【００６０】
（実施例４）
市販のバイオガソリンを測定サンプルとして、実施例１と同様の測定条件及び測定手順で、ピーク強度Ｉ１を算出した。そして、得られたピーク強度Ｉ１と、実施例１で得られた検量線から、エチル−ｔｅｒｔ−ブチルエーテルの含有割合を求めた。このとき、得られたピーク強度Ｉ１は０．１３７であり、得られたエチル−ｔｅｒｔ−ブチルエーテルの含有割合は１．５４容量％であった。
【００６１】
（参考例２）
実施例４と同様の測定サンプルについて、ＪＩＳ  Ｋ２５３６−２に基づいてエチル−ｔｅｒｔ−ブチルエーテルの含有割合を求めたところ、得られた含有割合は２．０７容量％であった。
【００６２】
実施例４と参考例２とを比較すると、実施例４の方法で得られた含有割合の値は、操作が煩雑であり分析に長時間を要する参考例１の方法で得られた含有割合の値と良い一致を示した。以上のことから、バイオガソリンを測定対象とした場合にも、本実施形態に係る燃料油の分析方法によって、従来の操作が煩雑であり分析に長時間を要する分析方法で得られる結果と良い一致を示す分析結果を、迅速に得ることができることが確認された。
【図１】
0005461322.tif 000003
【図２】
0005461322.tif 000004
【図３】
0005461322.tif 000005
【図４】
0005461322.tif 000006
【図５】
0005461322.tif 000007